(57)【要約】【課題】保管時や運搬時に積層された板材の端部が損傷されるのを防止し、梱包を解いたときに発生する廃棄物の量を減少させる。【解決手段】積層板材梱包物１は、複数枚の板材２が積層された積層体３を各板材２がばらけないように一体に梱包して成るものである。前記積層体３の両端部には、上下面および外周端面を包むようにキャップ４が被せられる。積層体３の外周端面には保護帯材５がキャップ４の上から巻かれている。前記積層体３上の複数箇所には保護帯材５の上から複数本の結束バンド６が保護帯材５と直交する方向に巻かれて、積層体３とキャップ４と保護帯材５とが一体に結束されている。【選択図】  図１
2004237990.tif 000002
【特許請求の範囲】
【請求項１】
複数枚の板材が積層された積層体を各板材がばらけないように一体に梱包して成る積層板材梱包物であって、前記積層体の両端部に、上下面および外周端面を包むようにキャップが被せられるとともに、積層体の外周端面には保護帯材がキャップの上から巻かれており、前記積層体上の複数箇所には保護帯材の上から複数本の結束バンドが保護帯材と直交する方向に巻かれて、積層体とキャップと保護帯材とが一体に結束されて成る積層板材梱包物。
【請求項２】
前記保護帯材は、発泡シート材の表面に補強のための合成樹脂フィルムが一体に貼り合わされて成る請求項１に記載された積層板材梱包物。
【請求項３】
前記保護帯材は、積層体の積層厚より大きな幅を有し、保護帯材の両縁部分が積層体の上面および下面に折り重ねられた状態で結束されている請求項１または２に記載された積層板材梱包物。
【請求項４】
前記保護帯材は、保護帯材が二重に重なっている補強部分を有し、その補強部分を積層体の一端部に位置させている請求項１〜３のいずれかに記載された積層板材梱包物。
【請求項５】
複数枚の板材が積層された積層体を各板材がばらけないように一体に梱包して成る積層板材梱包物であって、前記積層体の両端部に、上下面および外周端面を包むようにキャップが被せられるとともに、積層体の外周端面には積層体の積層厚に応じた幅の第１の保護帯材と、積層体の積層厚より大きな幅を有する第２の保護帯材とが、それぞれ上下に重ねられてキャップの上から巻かれており、前記積層体上の複数箇所には、第２の保護帯材の両縁部分が積層体の上面および下面に折り重ねられた状態で、第１、第２の保護帯材の上から複数本の結束バンドが各保護帯材と直交する方向に巻かれて、積層体とキャップと第１、第２の各保護帯材とが一体に結束されて成る積層板材梱包物。
【発明の詳細な説明】
【０００１】
【産業上の利用分野】
この発明は、複数枚の板材が積層された積層体を各板材がばらけないように一体に梱包して成る積層板材梱包物に関する。
【０００２】
【従来の技術】
従来、建築用床板などの板材は梱包して出荷されるもので、複数枚の板材が積層された積層体の全体を段ボールのような梱包材で被覆した後、これをポリプロピレンなどの結束バンドを用いて結束している。このような積層板材梱包物では、梱包を解くと、梱包材が大量のゴミとなるため、建築現場で発生する廃棄物の量を増大させる要因となっている。
【０００３】
この廃棄物の問題に鑑み、段ボールのような梱包材を用いない積層板材梱包物も提案されている。例えば、図５および図６に示した積層板材梱包物は、複数枚の板材５６が積層された積層体５５の外周端面を発泡材より成る保護帯材５４で被覆した後、板材５６がばらけないように、積層体５５の全体をシュリンクフィルム５１で包装するとともに、その外周の複数箇所を結束バンド５２で結束したものである（特許文献参照）。なお、図中、５３は積層体５５のコーナ部分を衝撃から保護するためのコーナ保護材であり、合成樹脂、ゴム、フェルトなどから成り、保護帯材５４の内面の４カ所に一体に貼着されている。
【０００４】
【特許文献】
実公昭５８−２６９２２号公報
【０００５】
【発明が解決しようとする課題】
しかしながら、上記の積層板材梱包物は、保管時は一端部を下にして立て掛けられるため、シュリンクフィルム５１が破損して美観を損ねるおそれがある。また、運搬時は重量が嵩むことから一端部を地面に着けたまま引きずられるため、シュリンクフィルム５１に加えて保護帯材５４も破損して積層体５５が露出し、最下位置の板材５６の一端部が地面に擦られて傷付けられるという問題がある。
また、積層板材梱包物の梱包を解いたとき、シュリンクフィルム５１は廃棄物となるが、このシュリンクフィルム５１は嵩張って取り扱いにくいという問題もある。
【０００６】
この発明は、上記問題に着目してなされたもので、保管時や運搬時、積層された板材の端部が損傷されるのを防止し、しかも、梱包を解いたときに発生する廃棄物の量を減少させた積層板材梱包物を提供することを目的とする。
【０００７】
【課題を解決するための手段】
この発明による積層板材梱包物は、複数枚の板材が積層された積層体を各板材がばらけないように一体に梱包して成るもので、前記積層体の両端部に、上下面および外周端面を包むようにキャップが被せられるとともに、積層体の外周端面には保護帯材がキャップの上から巻かれている。さらに、前記積層体上の複数箇所には保護帯材の上から複数本の結束バンドが保護帯材と直交する方向に巻かれて、積層体とキャップと保護帯材とが一体に結束されている。
【０００８】
この発明の上記した構成において、「キャップ」は、保管時に積層体の端部が地面に直接接触しないように、また、運搬時に地面に擦られて損傷しないようにするためのものである。好ましくは、摩擦抵抗が小さな材質の材料でキャップを構成すれば、たとえ一端部を地面に着けたまま引きずられても、キャップが地面上を滑って破損が防止される。
【０００９】
この発明の好ましい実施態様においては、前記保護帯材として、発泡シート材の表面に補強のための合成樹脂フィルムを一体に貼り合わせたものを用いる。前記発砲シート材としてはポリエチレンなどのクッション性に優れた材料が、また、補強のための合成樹脂フィルムとしてはポリエチレンなどの引っ張り強度に優れた材料が、それぞれ用いられる。この実施態様によると、保護帯材は板材を衝撃から保護する機能を保持しつつ強度が高められ、破損の防止に有効である。
【００１０】
さらに好ましい実施態様の保護帯材は、積層体の積層厚より大きな幅を有し、保護帯材の両縁部分が積層体の上面および下面に折り重ねられた状態で結束される。この実施態様によると、積層体の最上位置の板材は外周端面と上面との角縁部分が、また最下位置の板材は外周端面と下面との角縁部分が、保護帯材の折り重ね部分で保護される。
【００１１】
さらに好ましい実施態様の保護帯材は、保護帯材が二重になっている補強部分を有し、その補強部分を積層体の一端部に位置させている。この実施態様によると、補強部分を有する端部を下にして立て掛けたり、その端部を地面に着けたまま引きずったりしても、補強部分によって保護帯材の破損と積層体の損傷とが防止される。
【００１２】
この発明による他の実施態様の積層板材梱包物は、複数枚の板材が積層された積層体を各板材がばらけないように一体に梱包して成るもので、前記積層体の両端部に、上下面および外周端面を包むようにキャップが被せられるとともに、積層体の外周端面には積層体の積層厚に応じた幅の第１の保護帯材と、積層体の積層厚より大きな幅を有する第２の保護帯材とが、それぞれ上下に重ねられてキャップの上から巻かれたものである。前記積層体上の複数箇所には、第２の保護帯材の両縁部分が積層体の上面および下面に折り重ねられた状態で、第１、第２の保護帯材の上から複数本の結束バンドが各保護帯材と直交する方向に巻かれて、積層体とキャップと第１、第２の各保護帯材とが一体に結束されている。
【００１３】
【作用】
この発明による積層板材梱包物は、保管時に一端部を下にして立て掛けたり、運搬時に一端部を地面に着けたまま引きずったりしても、積層体の両端部にはキャップが被せられているので、積層体が露出することはなく、最下位置の板材の一端部が地面に擦られて傷付けられることもない。
【００１４】
【発明の実施の形態】
図１は、この発明の一実施例である積層板材梱包物１の外観を、図２および図３は、その積層板材梱包物１の構成を、それぞれ示している。
図示例の積層板材梱包物１は、複数枚の板材２が積層された積層体３を各板材２がばらけないように一体に梱包して成るものである。前記積層体３の両端部には、上下面および外周端面を包むようにキャップ４，４がそれぞれ被せられている。積層体３の外周端面には保護帯材５が、両端部はキャップ４の上から巻かれている。
【００１５】
前記積層体３上の複数箇所には、保護帯材５の上から複数本の結束バンド６が保護帯材５と直交する方向に巻かれており、これにより積層体３とキャップ４と保護帯材５とが一体に結束されている。この結束バンド６はポリプロピレンなどの合成樹脂製のものが用いられる。
なお、図示例では、全ての結束バンド６を積層体３の幅方向に巻き付けているが、これに限らず、少なくとも１本の結束バンド６は積層体３の長さ方向に巻き付けるようにしてもよい。
【００１６】
この実施例の保護帯材５は、保護帯材５が上下に二重になっている補強部分５ａを有しており、その補強部分５ａを積層体３の一方の端部に位置させている。また、保護帯材５は、積層体３の積層厚ｄより大きな幅Ｄに形成されており、この保護帯材５の上縁部分５ｂと下縁部分５ｃとが積層体３の上面および下面に折り重ねられた状態で前記結束バンド６によって結束されている。
【００１７】
前記保護帯材５は、ポリエチレンなどのクッション性に優れた発泡シート材の表面に、補強のための合成樹脂フィルムが一体に貼り合わされたものである。前記合成樹脂フィルムとしてはポリエチレンフィルムのような引っ張り強度に優れた材料が用いられる。
【００１８】
前記キャップ４は、この実施例では、ボール紙の表面に鉱物性の白色顔料を塗布して平滑性をもたせた硬質のコートボール紙を用いて形成されているが、平滑性を有しかつ接着剤や工具などを使用することなく箱型に組み立てることが容易なものであれば、コートボール紙に限られることはない。
【００１９】
なお、上記した実施例では、保護帯材５は、積層体３の積層厚ｄより大きな幅Ｄに形成して、この保護帯材５の上縁部分５ｂと下縁部分５ｃとを積層体３の上面および下面に折り重ねているが、前記保護帯材５に代えて、図４に示すように、積層体３の積層厚ｄに応じた幅（例えば積層厚ｄに一致する幅）の第１の保護帯材５′と積層体３の積層厚ｄより大きな幅を有する第２の保護帯材７とを重ねて用い、第２の保護帯材７の上縁部分７ａと下縁部分７ｂとを積層体３の上面および下面に折り重ねるようにしてもよい。
【００２０】
図４の実施例では、第１の保護帯材５′として第１実施例の保護帯材５と同様の貼合せ構造のシート材を、また、第２の保護帯材７として「エアクッション」と呼ばれる多数の気泡部を有するクッションシートを、それぞれ用いているが、これに限らず、第１の保護帯材５′として単なるポリエチレンなどの発泡シート材を用いることもでき、また、第２の保護帯材７としてクラフト紙を用いることもできる。さらに、この実施例では第１の保護帯材５′を内側に、第２の保護帯材７を外側に、それぞれ配置しているが、第１の保護帯材５′を外側に、第２の保護帯材７の内側に、それぞれ配置してもよい。
【００２１】
上記した積層板材梱包物１を製作するには、図３に示すように、複数枚の板材２を積層して積層体３にした後、積層体３の両端部３ａ，３ｂにキャップ４，４をそれぞれ被せる。つぎに、発泡シート材の側を内側にして保護帯材５を積層体３の外周端面に巻き付け、上下に重ねた両端部を熱溶着して無端状とする。この場合に、保護帯材５の上縁部分５ｂと下縁部分５ｃとは積層体３の上面および下面より突出した状態にある。
【００２２】
つぎに、積層体３の長さ方向の複数の箇所に、積層体３の幅方向に結束バンド６を巻き付けて積層体３と保護帯材５とキャップ４とを結束する。この巻き付け時、保護帯材５の上縁部分５ｂと下縁部分５ｃとは積層体３の上面および下面へ折り重ねる。
【００２３】
図４に示す実施例では、積層体３の両端部にキャップ４，４をそれぞれ被せた後、第１の保護帯材５′を積層体３の外周端面に巻き付け、さらにその上に第２の保護帯材７を巻き付ける。その後、第２の保護帯材７の上縁部分７ａと下縁部分７ｂとを積層体３の上面および下面へ折り重ね、積層体３の長さ方向の複数の箇所に、積層体３の幅方向に結束バンド６を巻き付けて積層体３と第１、第２の各保護帯材５′，７とキャップ４とを結束する。
【００２４】
このように製作した積層板材梱包物１は、保管時、一端部を下にして立て掛けたり、運搬時、一端部を地面に着けたまま引きずったりしても、積層体３の両端部にはキャップ４が被せられてあるので、たとえ保護帯材５または第１、第２の各保護帯材５′，７が破損したとしても、積層体３が露出することはなく、最下位置の板材２の一端部が地面に擦られて傷付けられることがない。
【００２５】
【発明の効果】
この発明によれば、保管時や運搬時、積層された板材の端部が損傷されるのを防止でき、しかも、梱包を解いたときに発生する廃棄物の量を減少させることができる。
【図面の簡単な説明】
【図１】この発明の一実施例である積層板材梱包物の外観を示す斜視図である。
【図２】図１のＡ−Ａ線に沿う断面図である。
【図３】積層板材梱包物の構成を示す分解斜視図である。
【図４】この発明の他の実施例を示す断面図である。
【図５】従来の積層板材梱包物の斜視図である。
【図６】従来の積層板材梱包物の分解斜視図である。
【符号の説明】
１    積層板材梱包物
２    板材
３    積層体
４    キャップ
５    保護帯材
６    結束バンド
５′  第１の保護帯材
７    第２の保護帯材
【図１】
2004237990.tif 000003
【図２】
2004237990.tif 000004
【図３】
2004237990.tif 000005
【図４】
2004237990.tif 000006
【図５】
2004237990.tif 000007
【図６】
2004237990.tif 000008